(57)【要約】【目的】産業機器の移動機構の移動に応じて、テレスコピックカバーをパンタグラフと一体として摺動させる際、パーツカバーとパンタグラフを全体として均等に安定して連動させることによって、テレスコピックカバーの往復移動に直進性を持たせて安全、確実にスムースに作動させる。【構成】パーツカバーの複数枚を摺動可能に積層して形成したテレスコピックカバーに複数個のパンタグラフを取り付けて、産業機器の移動機構の移動に応じて、テレスコピックカバーをパンタグラフと一体として摺動させるについて、パンタグラフの連結バーの屈曲部分に嵌め込んだ取付軸を、テレスコピックカバーの偶数枚目または奇数毎目のパーツカバーに固定したスライドプレートのスリットに摺動可能に挿填するとともに、パンタグラフの連結バーの交差部分に嵌め込んだ取付軸を、テレスコピックカバーの奇数毎目または偶数枚目のパーツカバーに回転可能に挿填する。【選択図】        図４
2009297834.tif 000002
【特許請求の範囲】
【請求項１】
薄板状のパーツカバーの複数枚を摺動可能に積層して形成したテレスコピックカバーに複数個のパンタグラフを取り付けて、産業機器の移動機構の移動に応じて、テレスコピックカバーをパンタグラフと一体として摺動させるについて、パンタグラフの連結バーの屈曲部分に嵌め込んだ取付軸を、テレスコピックカバーの偶数枚目のパーツカバーに固定したスライドプレートのスリットに摺動可能に挿填するとともに、パンタグラフの連結バーの交差部分に嵌め込んだ取付軸を、テレスコピックカバーの奇数毎目のパーツカバーに回転可能に挿填したパンタグラフを設けたテレスコピックカバー。
【請求項２】
パンタグラフの連結バーの屈曲部分に嵌め込んだ取付軸を、テレスコピックカバーの奇数毎目のパーツカバーに回転可能に挿填するとともに、パンタグラフの連結バーの交差部分に嵌め込んだ取付軸を、テレスコピックカバーの偶数枚目のパーツカバーに固定したスライドプレートのスリットに摺動可能に挿填した請求項１記載のパンタグラフを設けたテレスコピックカバー。
【発明の詳細な説明】
【技術分野】
【０００１】
本発明は、産業機器の主軸頭、ピストン、シリンダー等の移動機構を覆うように、産業機器に取り付けるテレスコピックカバーに関するものであり、このテレスコピックカバーに複数個のパンタグラフを取り付けて、産業機器の移動機構の移動に応じて摺動せるテレスコピックカバーに関するものである。
【背景技術】
【０００２】
従来、産業機器の主軸頭、ピストン、シリンダー等の移動機構が裸で露出していると、オイルが飛散して周辺が汚染する不都合がある他、作業者の手足や衣服を挟む危険があるために、薄板状のパーツカバーの複数枚を摺動可能に積層して形成したテレスコピックカバーによって、産業機器の移動機構を覆っており、この場合、テレスコピックカバーの摺動を高めるために、テレスコピックカバーに複数個のパンタグラフを取り付けて、産業機器の移動機構の移動に応じて、テレスコピックカバーをパンタグラフと一体として摺動させていた。
【０００３】
たとえば、特開平８−１５５７８０号のテレスコピックカバーは、  図１に示すように、テレスコピックカバー１は、幅が同じで、長さの異なる長方形の複数枚の薄板状のパーツカバー２ａ、２ｂ、２ｃ、２ｄ、２ｅ、２ｆ、２ｇを摺動可能に積層し、このテレスコピックカバー１に、二列のパンタグラフ３ａと３ｂとを間隔を置いて平行に取り付けている。
【０００４】
【特許文献１】特開平８―１５５７８０号
【０００５】
テレスコピックカバー１にパンタグラフ３ａと３ｂを取り付けるには、たとえば、図２に示すように、パンタグラフ３ａと３ｂの連結バー４の各交差部分５に回転可能に挿填した取付軸６を、各薄板状のパーツカバー２ａ、２ｂ、２ｃ、２ｄ、２ｆ、２ｇの各軸受け７に、それぞれ回転可能に挿填している。
【０００６】
パンタグラフ３ａと３ｂを取り付けたテレスコピックカバー１の全体を、図３に示すように、枠体８内に装填してテレスコピックカバー１のパーツカバー２ａに産業機器の摺動機構９を取り付け、パーツカバー２ｇに固定機構１０を取り付けている。
【０００７】
そして、産業機器の摺動機構９が一方の方向に摺動するときは、テレスコピックカバーのテレスコピックカバー１のパーツカバー２ａ、２ｂ、２ｃ、２ｄ、２ｅ、２ｆ、２ｇの両側部は枠体８の内面に沿って摺動して伸展すると同時に、パンタグラフ３ａと３ｂも摺動して伸展し、また、産業機器の摺動機構９が他方の方向に摺動するときは、テレスコピックカバーのテレスコピックカバー１のパーツカバー２ａ、２ｂ、２ｃ、２ｄ、２ｅ、２ｆ、２ｇの両側部は枠体８の内面に沿って摺動して収縮すると同時に、パンタグラフ３ａと３ｂも摺動して収縮し、以後この動作を繰り返し、  そして、産業機器の摺動機構９を所定の距離の範囲内で任意の位置に往復して移動する際に、産業機器の摺動機構９の周辺をテレスコピックカバー１によって覆うようにしている。
【０００８】
しかし、図２に示すように、パンタグラフ３ａと３ｂの連結バー４の交差部分５に嵌め込んだ取付軸６はパーツカバー２ａ、２ｂ、２ｃ、２ｄ、２ｆ、２ｇの各軸受けに挿着されているが、パンタグラフの連結バーの屈曲部分１１に嵌め込んだ取付摺動軸７はパーツカバー２ａ、２ｂ、２ｃ、２ｄ、２ｆ、２ｇには挿着されずに遊んでいる状態にあり、パンタグラフ３ａ、３ｂとともにパーツカバー２も全体として、摺動性が均一的でなく、不安定であり、連動性に難点があり、結果としてテレスコピックカバーの往復移動性が不安定でスムースでなく、故障、その他のトラブルの原因となっていた。
【０００９】
また、パーツカバー２ａ、２ｂ、２ｃ、２ｄ、２ｆ、２ｇは、幅が同じであるが、長さの異なっており、この長さはパーツカバー２ａが一番長く、後はパーツカバー２ｂよりパーツカバー２ｇかけて順に短くなっているために、テレスコピックカバー１が一方に移動してテレスコピックカバー１のパーツカバー２ａ、２ｂ、２ｃ、２ｄ、２ｅ、２ｆ、２ｇが摺動、収縮したときに、複数枚のパーツカバー２の相互の積層部分が小さくなって、階段状態になるとともに、パンタグラフ３も、図３に示すように、ばらけた状態になって、パンタグラフ３の連結バー４も平行状態にならず、収縮時のテレスコピックカバー１の長さが全体として長くなる傾向にあり、テレスコピックカバー1のコンパクト化に支障をきたしていた。
【発明の開示】
【発明が解決しようとする課題】
【００１０】
本発明は、薄板状のパーツカバーの複数枚を摺動可能に積層して形成したテレスコピックカバーに複数個のパンタグラフを取り付けて、産業機器の移動機構の移動に応じて、テレスコピックカバーをパンタグラフと一体として摺動させるについて、パーツカバーとパンタグラフを全体として、均等に、安定して、連動させることによって、テレスコピックカバーの往復移動に、直進性を持たせて、安全、確実に、スムースに作動させることに目的がある。
【００１１】
また、本発明は、テレスコピックカバーが一方に移動して、複数枚のパーツカバーが摺動、収縮したときに、複数枚のパーツカバーの相互に重なる部分を多くするとともに、パンタグラフの連結バーも平行状態にすることによって、テレスコピックカバーの収縮時の全体としての長さを短くして、テレスコピックカバーのコンパクト化を図ることに目的がある。
【課題を解決するための手段】
【００１２】
本発明は、薄板状のパーツカバーの複数枚を摺動可能に積層して形成したテレスコピックカバーに複数個のパンタグラフを取り付けて、産業機器の移動機構の移動に応じて、テレスコピックカバーをパンタグラフと一体として摺動させるについて、パンタグラフの連結バーの屈曲部分に嵌め込んだ取付軸を、テレスコピックカバーの偶数枚目または奇数毎目のパーツカバーに固定したスライドプレートのスリットに摺動可能に挿填するとともに、パンタグラフの連結バーの交差部分に嵌め込んだ取付軸を、テレスコピックカバーの奇数毎目または偶数枚目のパーツカバーに回転可能に挿填したことに特徴がある。
【発明の効果】
【００１３】
本発明は、従来のテレスコピックカバーにおいて、パーツカバーには挿着されずに遊んでいる状態にある、パンタグラフの連結バーの屈曲部分に嵌め込んだ取付摺動軸を、テレスコピックカバーのパーツカバーに固定したスライドプレートのスリットに摺動可能に挿填することによって起こる抑制作用と、さらに、パンタグラフの連結バーの交差部分に嵌め込んだ取付軸を、テレスコピックカバーに回転可能に挿填することによって起こる誘導作用との相乗作用によって、テレスコピックカバーのパーツカバーとパンタグラフの全体的な連動性を高めて、均等に、安定的に摺動させ、テレスコピックカバーの往復移動を直進性を持たせて、安全、確実に、スムースに作動できる利点がある。
【００１４】
また、本発明は、前述したように、パンタグラフの連結バーの屈曲部分に嵌め込んだ取付軸を、テレスコピックカバーのパーツカバーに固定したスライドプレートのスリットに摺動可能に挿填して、パーツカバーの長さを半減させることによって、テレスコピックカバーが一方に移動して、複数枚のパーツカバーが摺動、収縮したときに、積層状態のテレスコピックカバーの長さを短くして、テレスコピックカバーをコンパクトにでき、特に最近の小型化した産業機器の取付スペースが少さい場合には、最適なテレスコピックカバーとして使用できる利点がある。
【００１５】
さらに、本発明は、前述したように、パンタグラフの連結バーの屈曲部分に嵌め込んだ取付軸を、テレスコピックカバーのパーツカバーに固定したスライドプレートのスリットに摺動可能に挿填して、テレスコピックカバーが一方に移動して、複数枚のパーツカバーが摺動、収縮して、複数枚のパーツカバーが若干ずれて階段状態になった際に、パンタグラフの連結バーを平行状態にすることによって、テレスコピックカバーの全体の長さを短くでき、前述したテレスコピックカバーのパーツカバーの長さを半減化とあいまって、テレスコピックカバーを一段とコンパクトにできるメリットもある。
【発明を実施するための最良の形態】
【００１６】
本発明のパンタグラフを設けたテレスコピックカバーの一例を産業機械に取り付けた場合について説明すると、図４に示すように、テレスコピックカバー１は、長方形の多数枚のステンレス等の金属薄板のパーツカバー２ａ、２ｂ、２ｃ、２ｄ、２ｅ、２ｆ、２ｇ、２ｈ、２ｉ、２ｊ、２ｋを摺動可能に積層して形成し、テレスコピックカバー１に２個のパンタグラフ３を取り付けて、上方のテレスコピックカバー１と下方のテレスコピックカバー１として構成し、この上方のテレスコピックカバー１と下方のテレスコピックカバー１の間に、産業機械の主軸頭等の移動機構９を取り付けて、これらのテレスコピックカバーの端部を摺動可能に枠体８に挿入する。
【００１７】
テレスコピックカバー１には２個のパンタグラフ３を取り付けるが、パンタグラフ３の連結バー４の各交差部分５は、取付軸６を介して、テレスコピックカバー１の奇数毎目のパーツカバーである、パーツカバー２ａ、２ｃ、２ｅ、２ｇ、２ｉ、２ｋに回転可能に装着し、また、パンタグラフ１の連結バー４の屈曲部分１１は、取付摺動軸７を介して、テレスコピックカバー１の偶数毎目のパーツカバーであるパーツカバー、２ｂ、２ｄ、２ｆ、２ｈ、２ｊに固定したスライドプレート１３のスリット１４に摺動可能に挿填する。
【００１８】
すなわち、図５に示すように、パンタグラフ３の連結バー４の交差部分５は、交差部分５に嵌め込んだ取付軸６を、支持板１５を介して、テレスコピックカバー１の奇数毎目のパーツカバーである、パーツカバー２ａ、２ｃ、２ｅ、２ｇ、２ｉ、２ｋに回転可能に挿填し、また、図６に示すように、パンタグラフ１の連結バー４の屈曲部分１１は、屈曲部分１１に嵌め込んだ取付軸１２を、固定板１６を介して、偶数毎目のパーツカバーである、パーツカバー２ｂ、２ｄ、２ｆ、２ｈ、２ｊに固定したスライドプレート１３のスリット１４に摺動可能に挿填する。
【００１９】
なお、パンタグラフ３の連結バー４の各交差部分５に嵌め込んだ取付軸６は、テレスコピックカバー１の偶数毎目のパーツカバーである、パーツカバー２ｂ、２ｄ、２ｆ、２ｈ、２ｊに回転可能に挿填してもよいし、また、パンタグラフ１の連結バー４の屈曲部分１１に嵌め込んだ取付摺動軸７は、テレスコピックカバー１の奇数毎目のパーツカバーである、パーツカバー２ａ、２ｃ、２ｅ、２ｇ、２ｉ、２ｋに固定したスライドプレート１３を固定して、このスリット１４に摺動可能に挿填してもよいことはいうまでもない。
【００２０】
産業機械の移動機構９の移動にしたがって、上方のテレスコピックカバー１のパーツカバー２ａ〜２ｋとパンタグラフ３を収縮させるとともに、下方のテレスコピックカバー１のパーツカバー２ａ〜２ｋとパンタグラフ３を伸展させると、その際、パンタグラフ３の連結バー４の交差部分５に嵌め込んだ取付軸６は、テレスコピックカバー１のパーツカバー２ａ、２ｃ、２ｅ、２ｇ、２ｉ、２ｋ（奇数毎目）を誘導するするとともに、パンタグラフ１の連結バー４の屈曲部分１１に嵌め込んだ取付軸７は、テレスコピックカバー１のパーツカバー２ｂ、２ｄ、２ｆ、２ｈ、２ｊ（偶数毎目）に固定したスライドプレート１３のスリット１４に沿って抑制状態で摺動して行き、この誘導作用と抑制作用の相乗作用によって、テレスコピックカバー１のパーツカバー２とパンタグラフ３の全体的な連動性を高めて、安定して均等に摺動させ、これによってテレスコピックカバー１を直進性を持たせて、安全、確実に、スムースに往復移動させる。
【００２１】
テレスコピックカバー１の金属薄板のパーツカバー２の材質としては、ステンレス鋼を使用してもよいが、１７％Ｃｒ−２％Ｎｉを主成分として軟質なフェライト相と硬質なマルテンサイト相と微細混合組織を有する高強度複層組織ステンレス鋼を使用することによって、パーツカバー２の物理的強度を一段と高めてもよい。                                                              
【００２２】
テレスコピックカバー１の金属薄板のパーツカバー２の枚数は３〜３０枚でよく、また、パーツカバー２の幅は５〜２００ｃｍ、長さは５〜５０ｃｍが適当であり、さらに、パーツカバー２の形状は前述した長方形以外に、正方形でもよい。
【００２３】
パンタグラフ７の材質としては、ステンレス鋼を使用してもよいが、１７％Ｃｒ−２％Ｎｉを主成分として軟質なフェライト相と硬質なマルテンサイト相と微細混合組織を有する高強度複層組織ステンレス鋼を用いることによって、パンタグラフ７の物理的強度を高めてもよい。
【００２４】
パンタグラフ７の取付軸８と取付摺動軸９の材質として、ステンレス鋼を使用してもよいが、浸粒窒化処理をしたステンレス鋼を使用すると、この取付軸８と取付摺動軸９は、その表面が硬化されているために非常に摺動性と物理的強度に優れており、前述した産業機器の移動機構に取り付けたテレスコピックカバー１のパンタグラフ７に過大な力がかかっても、取付軸８と取付摺動軸９の表面が破損してガタが生じることがなく、かつ、取付軸８と取付摺動軸９は内部までは硬化されていないために柔軟性があり、軸が曲がったり、折れたりすることがなく、端部全体にパンタグラフ７の伸縮性、摺動性を向上させ、長期間に渡って安定して、円滑に作動させる。
【産業上の利用可能性】
【００２５】
本発明は、産業機器の主軸頭、ピストン、シリンダー等の移動機構を覆うテレスコピックカバーとして利用でき、特に最近の小型化した産業機器の取付スペースが少さい場合においては、最適なテレスコピックカバーとして使用できる。
【図面の簡単な説明】
【００２６】
【図１】複数枚のパーツカバーよりなるテレスコピックカバーにパンタグラフを２列に設けて伸展した状態を示す従来のテレスコピックカバーの正面説明図である。
【図２】複数枚のパーツカバーよりなるテレスコピックカバーにパンタグラフを設けて伸展した状態を示す従来のテレスコピックカバーの側面説明図である。
【図３】向かい合わせにした二組のパーツカバーよりなるテレスコピックカバーにパンタグラフを２列に設け、一方のパーツカバーを伸展するとともに他方のパーツカバーを収縮した状態を示す従来のテレスコピックカバーの説明図である。
【図４】向かい合わせにした二組のパーツカバーよりなるテレスコピックカバーにパンタグラフを２列に設け、パンタグラフの連結バーの屈曲部分に嵌め込んだ摺動取付軸を、テレスコピックカバーの偶数枚目のパーツカバーに固定したスライドプレートのスリットに挿填するとともに、パンタグラフの連結バーの交差部分に嵌め込んだ取付軸を、テレスコピックカバーの奇数毎目のパーツカバーに挿填し、一方のパーツカバーを伸展するとともに他方のパーツカバーを収縮した状態を示す本発明のテレスコピックカバーの正面説明図である。
【図５】複数枚のパーツカバーよりなるテレスコピックカバーにパンタグラフを２列に設けて、パンタグラフの連結バーの屈曲部分に嵌め込んだ摺動取付軸を、テレスコピックカバーの偶数枚目のパーツカバーに固定したスライドプレートのスリットに挿填するとともに、パンタグラフの連結バーの交差部分に嵌め込んだ取付軸を、テレスコピックカバーの奇数毎目のパーツカバーに挿填した状態を示す本発明のテレスコピックカバーの側面説明図である。
【図６】パンタグラフの連結バーの屈曲部分に嵌め込んだ摺動取付軸を、テレスコピックカバーの偶数枚目のパーツカバーに固定したスライドプレートのスリットに挿填した状態を示す本発明のテレスコピックカバーの拡大側面説明図である。
【符号の説明】
【００２７】
１  テレスコピックカバー
２  パーツカバー
３  パンタグラフ
４  連結バー
５  交差部分
６  取付軸
７  摺動取付軸
８  枠体
９  摺動機構
10  固定機構
11  屈曲部分
12  支持枠
13  スライドプレート
14  スリット
15  支持板
16  固定板
【図４】
2009297834.tif 000003
【図１】
2009297834.tif 000004
【図２】
2009297834.tif 000005
【図３】
2009297834.tif 000006
【図５】
2009297834.tif 000007
【図６】
2009297834.tif 000008